【手続補正書】
【提出日】平成27年8月5日(2015.8.5)
【手続補正１】
【補正対象書類名】明細書
【補正対象項目名】００１１
【補正方法】変更
【補正の内容】
【００１１】
上記目的を達成するために、本発明の情報処理システムは、画像処理装置と情報処理装置とがネットワークを介して接続された情報処理システムにおいて、前記情報処理装置は、情報セキュリティポリシーが記述されたセキュリティポリシーデータを生成するポリシー生成手段と、前記生成されたセキュリティポリシーデータを送信するポリシー送信手段とを備え、前記画像処理装置は、前記セキュリティポリシーデータを受信するポリシー受信手段と、前記ポリシー受信手段で受信したセキュリティポリシーデータを、当該画像処理装置に設定される設定に変換するポリシー変換手段と、前記ポリシー変換手段によって変換された設定と当該画像処理装置の現在の設定とを比較する比較手段と、前記比較手段による比較結果に基づいて、前記画像処理装置の現在の設定を変更するように通知する通知手段とを備えることを特徴とする。
【手続補正２】
【補正対象書類名】特許請求の範囲
【補正対象項目名】全文
【補正方法】変更
【補正の内容】
【特許請求の範囲】
【請求項１】
画像処理装置と情報処理装置とがネットワークを介して接続された情報処理システムにおいて、
前記情報処理装置は、
情報セキュリティポリシーが記述されたセキュリティポリシーデータを生成するポリシー生成手段と、
前記生成されたセキュリティポリシーデータを送信するポリシー送信手段とを備え、
前記画像処理装置は、
前記セキュリティポリシーデータを受信するポリシー受信手段と、
前記ポリシー受信手段で受信したセキュリティポリシーデータを、当該画像処理装置に設定される設定に変換するポリシー変換手段と、
前記ポリシー変換手段によって変換された設定と当該画像処理装置の現在の設定とを比較する比較手段と、
前記比較手段による比較結果に基づいて、前記画像処理装置の現在の設定を変更するように通知する通知手段と、
を備えることを特徴とする情報処理システム。
【請求項２】
前記セキュリティポリシーデータと前記画像処理装置の現在の設定とを比較するために必要な情報が書かれた変換ルールファイルを格納する格納手段を更に備えることを特徴とする請求項１に記載の情報処理システム。
【請求項３】
前記変換ルールファイルに書かれた情報セキュリティポリシーの名称と前記セキュリティポリシーデータに記述された情報セキュリティポリシーの名称とを比較する第２の比較手段を更に備え、
前記ポリシー変更手段は、前記第２の比較手段による比較結果から一致する名称があった場合には、前記セキュリティポリシーデータに記述された情報セキュリティポリシーの名称を、前記変換ルールファイルに書かれた前記画像処理装置に設定される設定に変換することを特徴とする請求項２記載の情報処理システム。
【請求項４】
前記第２の比較手段による比較結果から一致する名称がなかった場合には、エラー情報として記憶するエラー情報格納手段を更に備えることを特徴とする請求項３記載の情報処理システム。
【請求項５】
前記通知手段は、前記エラー情報格納手段に記憶されたエラー情報から前記画像処理装置に適用できなかった情報セキュリティポリシーを通知することを特徴とする請求項４記載の情報処理システム。
【請求項６】
前記変換ルールファイルを用いて、前記画像処理装置の現在の設定が前記情報セキュリティポリシーを満たすか否かを判定するポリシー判定手段を更に備えることを特徴とする請求項３乃至５のいずれか１項に記載の情報処理システム。 
【請求項７】
前記通知手段は、前記ポリシー判定手段によって前記情報セキュリティポリシーを満たしていないと判定された場合、前記画像処理装置の利用を制限することを特徴とする請求項６に記載の情報処理システム。
【請求項８】
前記画像処理装置は、前記画像処理装置の設定が変更されたことに基づいて、前記情報セキュリティポリシーの適用を行うことを特徴とする請求項１乃至７のいずれか１項に記載の情報処理システム。
【請求項９】
前記画像処理装置は、
前記情報セキュリティポリシーに関する画像処理装置の設定画面において、現在の設定から変更すると前記情報セキュリティポリシーに違反する項目の有無を判定する判定手段と、
前記判定手段によって前記情報セキュリティポリシーに違反する項目があると判定された場合、当該項目を設定変更できないように制限する制限手段とをさらに備えることを特徴とする請求項１乃至８のいずれか１項に記載の情報処理システム。
【請求項１０】
前記画像処理装置は、
前記画像処理装置の設定の増減を検知する検知手段と、
前記検知手段により前記画像処理装置の設定の増減が検知されたときに、前記情報セキュリティポリシーを適用する適用手段と、
前記適用手段にて前記情報セキュリティポリシーに違反する設定があった場合、前記設定を変更できないように制限する制限手段と、
をさらに備えることを特徴とする請求項１乃至９のいずれか１項に記載の情報処理システム。
【請求項１１】
画像処理装置と情報処理装置とがネットワークを介して接続された情報処理システムにおいて、
前記情報処理装置は、
情報セキュリティポリシーが記述されたセキュリティポリシーデータを生成するポリシー生成手段と、
前記画像処理装置が前記セキュリティポリシーデータの受信が可能か否かを判定する性能確認手段と、
前記性能確認手段により前記セキュリティポリシーデータの受信が不可能と判定された場合、前記画像処理装置から前記画像処理装置に設定される設定と当該画像処理装置の種別を取得する取得手段と、
前記セキュリティポリシーデータを、前記取得した設定と前記画像処理装置の種別に合わせて変換するポリシー変換手段と、
前記ポリシー変換手段によって変換された設定と当該画像処理装置の現在の設定とを比較する比較手段と、
前記比較手段による比較結果に基づいて、前記情報セキュリティポリシーを満たすように前記画像処理装置の現在の設定の変更を行わせる画面制御手段と、
を備えることを特徴とする情報処理システム。
【請求項１２】
画像処理装置と情報処理装置とがネットワークを介して接続された情報処理システムの制御方法において、
前記情報処理装置にて、
情報セキュリティポリシーが記述されたセキュリティポリシーデータを生成するポリシー生成工程と、
前記生成されたセキュリティポリシーデータを送信するポリシー送信工程とを行い、
前記画像処理装置にて、
前記セキュリティポリシーデータを受信するポリシー受信工程と、
前記ポリシー受信手段で受信したセキュリティポリシーデータを、当該画像処理装置に設定される設定に変換するポリシー変換工程と、
前記ポリシー変換手段によって変換された設定と当該画像処理装置の現在の設定とを比較する比較工程と、
前記比較手段による比較結果に基づいて、前記画像処理装置の現在の設定を変更するように通知する通知工程と、
を行うことを特徴とする情報処理システムの制御方法。
【請求項１３】
画像処理装置と情報処理装置とがネットワークを介して接続された情報処理システムの制御方法をコンピュータに実行させるプログラムにおいて、
前記情報処理システムの制御方法は、
前記情報処理装置にて、
情報セキュリティポリシーが記述されたセキュリティポリシーデータを生成するポリシー生成工程と、
前記生成されたセキュリティポリシーデータを送信するポリシー送信工程とを行い、
前記画像処理装置にて、
前記セキュリティポリシーデータを受信するポリシー受信工程と、
前記ポリシー受信手段で受信したセキュリティポリシーデータを、当該画像処理装置に設定される設定に変換するポリシー変換工程と、
前記ポリシー変換手段によって変換された設定と当該画像処理装置の現在の設定とを比較する比較工程と、
前記比較手段による比較結果に基づいて、前記画像処理装置の現在の設定を変更するように通知する通知工程と、
を行うことを特徴とするプログラム。